(57)【特許請求の範囲】
【請求項１】
入力される放送ＴＳ信号を直交変調されたデジタル放送電波形式の信号にして電力増幅器に供給し、前記電力増幅器が増幅した放送電波信号をアンテナから送信するデジタル放送送信装置において、
前記送信された放送電波信号の一部をフィードバック信号として出力する電力増幅器と、
前記放送電波の出力レベルを設定する出力設定データを送出する制御手段と、
前記フィードバック信号が入力され、入力されたフィードバック信号をＡ／Ｄ変換したレベル信号として出力するＡ／Ｄ手段と、
前記入力される放送ＴＳ信号をベースバンドデジタル信号に変換して出力する変換手段と、
前記レベル信号と前記ベースバンドデジタル信号と前記出力設定データとが入力され、
前記出力設定データに対応する基準電圧を生成して出力する基準生成手段と、
前記基準電圧と前記レベル信号とが入力され、両者の差分を誤差信号として出力する比較手段と、
前記誤差信号と、前記ベースバンドデジタル信号とが入力されて前記誤差信号が０になるように前記ベースバンドデジタル信号に内部の利得計数を乗除してＡＧＣベースバンド信号にして出力するＡＧＣ乗除手段と、
前記出力設定データに基づいた出力利得計数を前記ＡＧＣベースバンドデジタル信号に乗じて前記放送電波の出力レベルに相当するデジタル信号にして出力する出力調整手段とを備える
レベル調整手段と、
前記レベル調整手段から出力されるデジタル信号をＤ／Ａ変換したベースバンドアナログの信号にして出力するＤ／Ａ手段と、
入力される前記Ｄ／Ａ変換された前記信号を直交変調および増幅し、放送用の電波形式の高周波信号であるエキサイタ信号にして出力するアナログ処理部とを
備えるエキサイタとを具備する
ことを特徴とするデジタル放送送信装置。
【請求項２】
前記エキサイタは、更に前記フィードバック信号を検波整流する検波手段を備え、前記Ａ／Ｄ手段は、前記検波整流されたフィードバック信号が入力されてＡ／Ｄ変換をして前記レベル信号として出力し、前記基準生成手段は、直流信号の基準電圧を出力することを特徴とする請求項１記載のデジタル放送送信装置。
【請求項３】
前記エキサイタは、更に前記フィードバック信号を検波整流する検波手段を備え、前記Ａ／Ｄ手段は、前記検波整流されたフィードバック信号が入力されてＡ／Ｄ変換をして前記レベル信号として出力し、
前記基準生成手段は、前記変換手段から出力されるベースバンドデジタル信号が入力され、前記入力された信号の平均レベルを算出して前記基準電圧を生成して出力し、
前記比較手段は、前記レベル信号と前記基準電圧との差分を出力する
ことを特徴とする請求項１記載のデジタル放送送信装置。
【請求項４】
前記エキサイタは、更に前記Ａ／Ｄ変換されたフィードバック信号の平均レベルを算出して平均フィードバックレベル信号を出力する平均レベル算出手段を備え、
前記基準生成手段は、前記変換手段から出力されるベースバンドデジタル信号が入力され、前記入力された信号の平均レベルを算出して前記基準電圧を生成して出力し、
前記比較手段は、前記平均フィードバックレベル信号と前記基準電圧との差分を出力する
ことを特徴とする請求項１記載のデジタル放送送信装置。
【請求項５】
入力される放送ＴＳ信号を直交変調されたデジタル放送電波形式の信号にして電力増幅器に供給し、前記電力増幅器が増幅した放送電波信号をアンテナから送信するデジタル放送送信装置において、
前記送信された放送電波信号の一部をフィードバック信号として出力する電力増幅器と、
前記放送電波の出力レベルを設定する出力設定データを送出する制御手段と、
前記フィードバック信号が入力され、入力されたフィードバック信号をＡ／Ｄ変換したレベル信号として出力するＡ／Ｄ手段と
前記入力される放送ＴＳ信号をベースバンドデジタル信号に変換して出力する変換手段と、
前記レベル信号と前記ベースバンドデジタル信号と前記出力設定データとが入力され、
前記出力設定データに対応する基準電圧を生成して出力する基準生成手段と、
前記基準電圧と前記レベル信号とが入力され、両者の差分を誤差信号として出力する比較手段と、
前記出力設定データに基づいた出力利得計数を前記ベースバンドデジタル信号に乗じて前記放送電波の出力レベルに相当する調整ベースバンドデジタル信号にして出力する出力調整手段と、
前記誤差信号と、前記調整ベースバンドデジタル信号とが入力されて前記誤差信号が０になるように前記ベースバンドデジタル信号に内部の利得計数を乗除したデジタル信号を生成して出力するＡＧＣ乗除手段とを備える
レベル調整手段と、
前記レベル調整手段から出力されるデジタル信号をＤ／Ａ変換してベースバンドアナログの信号にして出力するＤ／Ａ手段と、
入力される前記Ｄ／Ａ変換された前記信号を直交変調および増幅した放送用の電波形式の高周波信号であるエキサイタ信号にして出力するアナログ処理部とを
備えるエキサイタとを具備する
ことを特徴とするデジタル放送送信装置。
【請求項６】
入力される放送ＴＳ信号をエキサイタが直交変調されたデジタル放送電波形式の信号にして電力増幅器に供給し、前記電力増幅器が増幅した放送電波信号をアンテナから送信するとともに前記送信された放送電波信号の一部がフィードバック信号として前記エキサイタに入力されるデジタル放送送信装置のエキサイタにおいて、
前記放送電波の出力レベルに対応するエキサイタ信号の出力レベルを設定する出力設定データを送出する制御手段と、
前記フィードバック信号が入力され、入力されたフィードバック信号をＡ／Ｄ変換したレベル信号として出力するＡ／Ｄ手段と、
前記入力される放送ＴＳ信号をベースバンドデジタル信号に変換して出力する変換手段と、
前記レベル信号と前記ベースバンドデジタル信号と前記出力設定データとが入力され、
前記出力設定データに対応する基準電圧を生成して出力する基準生成手段と、
前記基準電圧と前記レベル信号とが入力され、両者の差分を誤差信号として出力する比較手段と、
前記誤差信号と、前記ベースバンドデジタル信号とが入力されて前記誤差信号が０になるように前記ベースバンドデジタル信号に内部の利得計数を乗除してＡＧＣベースバンド信号にして出力するＡＧＣ乗除手段と、
前記出力設定データに基づいた出力利得計数を前記ＡＧＣベースバンドデジタル信号に乗じて前記放送電波の出力レベルに相当するデジタル信号にして出力する出力調整手段とを備える
レベル調整手段と、
前記レベル調整手段から出力されるデジタル信号をＤ／Ａ変換したベースバンドアナログの信号にして出力するＤ／Ａ手段と、
入力される前記Ｄ／Ａ変換された前記信号を直交変調および増幅したエキサイタ信号にして出力するアナログ処理部とを
具備することを特徴とするデジタル放送送信装置のエキサイタ。
【発明の詳細な説明】
【技術分野】
【０００１】
本発明の実施形態は、デジタル放送送信装置およびエキサイタに関する。
【背景技術】
【０００２】
デジタル放送送信機は、送信機の増幅器が温度、経年変化等の影響を受けても送信出力レベルが精確な規定値内に収まる様に、送信出力の一部を取り出して監視し、その監視信号が所定のＡＧＣ基準値と揃うように増幅器の利得をフィードバック制御する自動調整をして出力レベルを一定に制御するＡＧＣ（Automatic Gain Control:自動利得制御）を行っている。
【０００３】
図７は、デジタル放送送信装置の構成を説明する機能ブロック図である。放送電波を送信するデジタル放送送信装置は、スタジオ装置や、サーバ、系列局からのネット信号などからＴＳ（Transport  Stream）信号が入力され、高周波信号に変換するエキサイタｅｘ（ＥＸ）と、変換された高周波信号を所定の信号レベルにしてアンテナから送信する電力増幅器ＰＡとを備えている。
【０００４】
デジタル放送は直交変調、即ちＯＦＤＭ変調波で送信するため高直線性でダイナミックレンジも広い電力増幅器ＰＡが用いられ、ＡＧＣ機能は重要な動作補償となっているが、出力レベル信号としてフィードバック信号を検波整流した直流信号と、直流電圧であるＡＧＣ基準値とを差動増幅器で比較し、差信号を誤差信号として出力を調整する可変減衰器等を用いたアナログ回路処理によって実施されている（例えば、特許文献１。）。
【０００５】
デジタル放送送信装置は保守運用時等に定常運用出力よりも低い試験出力で試験運用されることもある。この場合、上述の直流のＡＧＣ基準値が固定されているので、そのまま試験運用をしてしまうと、ＡＧＣ機能としては出力を上げるべく増幅器の利得を高く、又は減衰量を減らす動作が行われてしまうので基準値の調整が必要である。
【０００６】
図８は、従来のエキサイタにＡＧＣ機能を持たせて電力増幅器ＰＡの出力を一定にしているデジタル放送送信装置のエキサイタｅｘの機能ブロック図である。  
図８において、エキサイタｅｘは、入力される放送ＴＳ信号を高周波信号に変換するデジタル処理部ｄｐと、変換された高周波信号を更に放送用の電波形式に変調信号にし、ＡＧＣを施して所定の信号レベルにして送出するアナログ処理部ａｐとを備えている。
【０００７】
図９はアナログ処理部ａｐが備えるＡＧＣＡｍｐ５２の機能ブロック図である。  
アナログ処理部ａｐでは、出力監視部５０で所定のレベルに設定され、ＶＡＴＴ（可変アッテネータ）６０を経た信号が電力増幅器ＰＡへ出力される。そして、電力増幅器ＰＡからは、送信電波のフィードバック信号が入力され、ＤＥＴ５がそれを検波整流した直流の検波レベル信号にしてＡＧＣＡｍｐ５２へ出力する。ＡＧＣＡｍｐ５２は、基準電圧源ｒを備え、検波レベル信号との比較を行い両者の差が最小化するようにＶＡＴＴ６０制御信号を出力する。
【０００８】
試験運用する場合、例えば、ＶＡＴＴ６０の減衰量を３ｄＢ大きくして送信出力を下げると共にＶＡＴＴ６１の減衰量を３ｄＢ小さくして基準電圧との整合を取る。こうすることにより、試験運用時でも所要のＡＧＣ動作が出来る。デジタル放送送信装置は、中継装置を含め数多く設置されるが、リモート局舎の限られた送信スペースに、省スペース、省電力、また、出力調整、設定を容易に実施できることが必要である。
【０００９】
しかしながら、ＡＧＣ機能を果たすアナログ回路機能部品であるＶＡＴＴ６０、６１を用いているため装置規模が大きくなること、また加えて増幅部４は出力を一定に抑えたままであるので不要に電力を消費している。更に試験運用のレベル設定が幾つかの複数に亘る場合、ＶＡＴＴ６０、６１の調整、設定が面倒である。一方、デジタル放送送信装置は、送信器設置場所の条件に応じてカバレッジを調整出来るよう出力が設定される場合も多く、それぞれの出力に応じて基準電圧を設定するか、又はＶＡＴＴ６１のデフォルト値を多種類設けなければならない問題があった。
【先行技術文献】
【特許文献】
【００１０】
【特許文献１】特開平１０―４１７６９号公報
【発明の概要】
【発明が解決しようとする課題】
【００１１】
従来のデジタル放送送信装置は、余剰出力を調整するアッテネータを用いるので装置規模が大きくなり、かつ電力を消費していることに加え多くの出力レベルに対する調整、設定が面倒である問題があった。
【００１２】
本発明が解決しようとする課題は、省電力、省スペースでかつ多種類の出力レベル設定が容易なＡＧＣ機能を備えたデジタル放送送信装置およびエキサイタを提供することである。
【課題を解決するための手段】
【００１３】
上記目的を達成するために、本実施形態のデジタル放送送信装置は、入力される放送ＴＳ信号を直交変調されたデジタル放送電波形式の信号にして電力増幅器に供給し、前記電力増幅器が増幅した放送電波信号をアンテナから送信するデジタル放送送信装置において、前記送信された放送電波信号の一部をフィードバック信号として出力する電力増幅器と、前記放送電波の出力レベルを設定する出力設定データを送出する制御手段と、前記フィードバック信号が入力され、入力されたフィードバック信号をＡ／Ｄ変換したレベル信号として出力するＡ／Ｄ手段と、前記入力される放送ＴＳ信号をベースバンドデジタル信号に変換して出力する変換手段と、前記レベル信号と前記ベースバンドデジタル信号と前記出力設定データとが入力され、前記出力設定データに対応する基準電圧を生成して出力する基準生成手段と、前記基準電圧と前記レベル信号とが入力され、両者の差分を誤差信号として出力する比較手段と、前記誤差信号と、前記ベースバンドデジタル信号とが入力されて前記誤差信号が０になるように前記ベースバンドデジタル信号に内部の利得計数を乗除してＡＧＣベースバンド信号にして出力するＡＧＣ乗除手段と、前記出力設定データに基づいた出力利得計数を前記ＡＧＣベースバンドデジタル信号に乗じて前記放送電波の出力レベルに相当するデジタル信号にして出力する出力調整手段とを備えるレベル調整手段と、前記レベル調整手段から出力されるデジタル信号をＤ／Ａ変換したベースバンドアナログの信号にして出力するＤ／Ａ手段と、入力される前記Ｄ／Ａ変換された前記信号を直交変調および増幅し、放送用の電波形式の高周波信号であるエキサイタ信号にして出力するアナログ処理部とを備えるエキサイタとを具備することを特徴とするデ。
【００１４】
また本発明の実施形態のデジタル放送送信装置のエキサイタは、入力される放送ＴＳ信号をエキサイタが直交変調されたデジタル放送電波形式の信号にして電力増幅器に供給し、前記電力増幅器が増幅した放送電波信号をアンテナから送信するとともに前記送信された放送電波信号の一部がフィードバック信号として前記エキサイタに入力されるデジタル放送送信装置のエキサイタにおいて、前記放送電波の出力レベルに対応するエキサイタ信号の出力レベルを設定する出力設定データを送出する制御手段と、前記フィードバック信号が入力され、入力されたフィードバック信号をＡ／Ｄ変換したレベル信号として出力するＡ／Ｄ手段と、前記入力される放送ＴＳ信号をベースバンドデジタル信号に変換して出力する変換手段と、前記レベル信号と前記ベースバンドデジタル信号と前記出力設定データとが入力され、前記出力設定データに対応する基準電圧を生成して出力する基準生成手段と、前記基準電圧と前記レベル信号とが入力され、両者の差分を誤差信号として出力する比較手段と、前記誤差信号と、前記ベースバンドデジタル信号とが入力されて前記誤差信号が０になるように前記ベースバンドデジタル信号に内部の利得計数を乗除してＡＧＣベースバンド信号にして出力するＡＧＣ乗除手段と、前記出力設定データに基づいた出力利得計数を前記ＡＧＣベースバンドデジタル信号に乗じて前記放送電波の出力レベルに相当するデジタル信号にして出力する出力調整手段とを備えるレベル調整手段と、前記レベル調整手段から出力されるデジタル信号をＤ／Ａ変換したベースバンドアナログの信号にして出力するＤ／Ａ手段と、入力される前記Ｄ／Ａ変換された前記信号を直交変調および増幅したエキサイタ信号にして出力するアナログ処理部とを具備することを特徴とする。
【図面の簡単な説明】
【００１５】
【図１】第１の本実施形態に係わるエキサイタの機能ブロック図。
【図２】テーブル変換調整部が出力設定に応じて出力する情報を示す図。
【図３】第２の実施形態を示すエキサイタの機能ブロック図。
【図４】第２の実施形態の変形例を示すエキサイタの機能ブロック図。
【図５】第３の実施形態のエキサイタの機能ブロック図。
【図６】第３の実施形態の変形例を示すエキサイタの機能ブロック図。
【図７】従来のデジタル放送送信装置の構成を説明する機能ブロック図。
【図８】従来のデジタル放送送信装置のエキサイタｅｘの機能ブロック図。
【図９】従来のアナログ処理部が備えるＡＧＣＡｍｐの機能ブロック図。
【発明を実施するための形態】
【００１６】
以下実施形態のデジタル放送送信装置を図面を参照して説明する。
【００１７】
図１は、第１の本実施形態に係わるエキサイタの機能ブロック図である。  
図１（ａ）において、エキサイタＥＸは、入力される放送ＴＳ信号をベースバンドデジタル信号に変換してＡＧＣ処理を行ってから更にアナログベースバンド信号に変換するデジタル処理部ＤＰと、変換されたアナログベースバンド信号にて直交変調を行い、放送用の電波形式の高周波信号に変換して所定の信号レベルのエキサイタ信号として電力増幅器ＰＡへ送出するアナログ処理部ＡＰとを備えている。
【００１８】
アナログ処理部ＡＰは、デジタル処理部ＤＰから入力されるアナログ信号をＯＦＤＭ変調する直交変調部３、ＯＦＤＭ変調された信号を所定の出力レベルに増幅してエキサイタ信号として出力する増幅部４、増幅部４からのエキサイタ信号のレベルを監視して電力増幅器ＰＡ（図７参照）へ出力する出力監視部５０と、電力増幅器ＰＡの出力からのフィードバック入力信号を検波整流してレベル信号として出力する検波器（ＤＥＴ）５とを備えている。フィードバック信号は、アンテナ（図示せず）への接続系統でカプラ等により送信出力の一部が取り出されるものである。
【００１９】
デジタル処理部ＤＰは、それぞれの間がバスライン等で接続されている制御部７と、変調処理部１と、レベル調整部８と、Ｄ／Ａ変換器（Ｄ／Ａ）２と、Ａ／Ｄ変換器（Ａ／Ｄ）６とを備えている。変調処理部１は、入力される放送ＴＳ信号をベースバンドデジタル信号に変換してレベル調整部８へ出力し、レベル調整部８は、制御部７から入力される出力設定データに基づいた利得計数を用いてベースバンドデジタル信号への乗算とＡＧＣ処理への乗算とを行ってレベル調整されたデジタル信号をＤ／Ａ２へ出力する。
【００２０】
Ｄ／Ａ２はレベル調整されたベースバンドデジタル信号をアナログ信号に変換して出力する。Ａ／Ｄ６は、後述のＤＥＴ５で検波整流されてレベル信号として入力される信号をデジタル変換してデジタル処理部ＤＰのレベル調整部８へ出力する。制御部７は、図示されないスイッチ、ダイヤル、又はＩ／Ｏ手段を介して情報端末等から電力増幅器ＰＡから送信される電力の設定値が出力設定データとして入力される。この出力設定データはレベル調整部８へ入力される。
【００２１】
図１（ｂ）は、レベル調整部８の動作説明をする機能ブロック図である。  
図１（ｂ）において、レベル調整部８は、機能構成要素として基準生成部８１と、比較器８２と、出力設定乗算器８３と、テーブル変換調整部８４と、ＡＧＣ乗除器８５とを備えている。
【００２２】
基準生成部８１は、従来のＡＧＣ基準電圧に相当する電圧を出力する機能部である。比較器８２は、従来の差動増幅器に相当するもので、Ａ／Ｄ変換されたレベル信号（検波レベル電圧）と基準電圧（ここでは、Ｖｒ）とを比較した誤差信号をＡＧＣ乗除器８５へ出力する。
【００２３】
ＡＧＣ乗除器８５は、この誤差信号の極性と大小に応じて、誤差信号を減らすように調整する利得計数を変調処理部１から入力されるベースバンドデジタル信号に乗除してＤ／Ａ２へ出力する。
【００２４】
テーブル変換調整部８４は、制御部７から入力される出力設定データを参照基準として、出力設定データに対応して設定された電力増幅器ＰＡの出力にする情報を出力するものである。
【００２５】
そのために出力設定乗算器８３でベースバンドデジタル信号の振幅値を調整する利得計数α８３と比較器８２でレベル電圧と比較するための基準電圧を指定するＶｒを出力する。
【００２６】
図２は、テーブル変換調整部８４が出力設定に応じて出力する利得計数α８３、Ｖｒの関係を示す図の一例である。  
図２では、設定出力が３ｄＢ単位のステップで設定され、それに対して基準電圧Ｖｒと送信出力を得るための増幅利得の利得計数α８３とが正比例関係で設定されている。
【００２７】
ここでは、テーブル変換調整部８４を含めてレベル調整部８は、能動的機能部として表現されているが、テーブル変換調整部８４は、メモリに書き込まれた定数のテーブル状のデータとして、制御部７に含まれ、レベル調整部８は、制御部７がバスラインを介して入出力するデータに実行する演算機能で実現されるもので有っても良い。
【００２８】
この第１の実施形態は、図８で示された従来のエキサイタのアナログ処理部ａｐに有ったＶＡＴＴ６０、６１が省略されている。従来例と比べるとＡ／Ｄ６とレベル調整部８１がデジタル処理部に追加されているが、レベル調整部８１は演算処理をする仮想物理的存在なのでスペースデメリットはない。
【００２９】
一方Ａ／Ｄ６については、ハードウェアとしての増加要因であるが、ＶＡＴＴ６０、６１に比べれば小さいチップで構成できるためディメリットは小さく、トータルに見れば、本実施形態は従来のエキサイタに比べて省スペースになっている。
【００３０】
また、設定出力に応じてベースバンドデジタル信号の振幅を変えているので、増幅部４も所要電力で出力するだけとなり、出力設定が低レベルである時でも従来の様にアッテネータで無駄に電力消費をすることがない。また、テーブル変換調整部（Ｔ）８４に多くの設定条件を設けておくことによって、基準電圧やＡＧＣ利得の調整が容易に行えるため、試験運用のみならず、同一仕様の送信器で多くの設置条件に適した出力設定レベルが出来る効果がある。
【００３１】
図３（ａ）は、第２の実施形態を示すエキサイタの機能ブロック図、図３（ｂ）は、第２の実施形態のエキサイタのレベル調整部８の動作を説明する機能ブロック図である。第２の実施形態は、レベル調整部８の構成と動作が以下に述べる以外は第１の実施形態と同様なので、重複部分の説明は省略する。
【００３２】
図３（ｂ）では、基準生成部８１が固定した基準電圧を出力するのではなく変調処理部１からベースバンドデジタル信号を入力し、その振幅の平均レベルを算出してフィードバック入力の検波レベル電圧と比較している。この方法では、送信される信号の実際の波形、パターンに対応した平均レベルが得られるため、ＡＧＣがより精確になる効果がある。
【００３３】
この場合、第１の実施形態で出力設定レベルに対応して基準電圧が比例関係で変化したのと同様に平均レベルも変化する。
【００３４】
図４（ａ）は、第２の実施形態の変形例のエキサイタの機能ブロック図、図４（ｂ）は、変形例のエキサイタのレベル調整部８の動作を説明する機能ブロック図である。この変形例実施形態は、レベル調整部８の構成で変調処理部１からのベースバンドデジタル信号が出力設定乗算器８３へ入力されて出力がレベル設定される。このレベル設定された信号と比較器８２からの誤差信号とがＡＧＣ乗除算器８３に入力されることと、出力設定条件に応じてフィードバック入力レベルも変化するので基準電圧レベルも対応して調整される点が前例と異なるが、それ以外は第２の実施形態と基本的に同様である。このＡＧＣ処理順序の入れ替えは、第１の実施形態に対しても同様に可能である。
【００３５】
図５（ａ）は、第３の実施形態のエキサイタの機能ブロック図、図５（ｂ）は、第３の実施形態のエキサイタのレベル調整部８の動作を説明する機能ブロック図である。この実施形態は、レベル調整部８の構成と動作が以下に述べる以外は第２の実施形態と同様なので、重複部分の説明は省略する。
【００３６】
図５（ａ）では、電力増幅器からのフィードバック信号を検波しないでそのまま高速のＡ／Ｄ６へ入力し、デジタル信号によりフィードバック信号の平均値を算出している。この実施形態では、制御部７が元の検波回路５の回路定数によって決められる整流応答時間（時定数）に相当する応答時間が演算処理によって自由に設定できるメリットが有る。
【００３７】
図６は、第３の実施形態の変形例を示すエキサイタの機能ブロック図である。  
図５（ｂ）では、２つの平均レベル算出機能部があったが、第３の実施形態の変形例の様にこれ等を１つにまとめた平均レベル算出機能部へデータバスを介してベースバンドデジタル信号と、デジタルフィードバック信号とを入力し、時分割してそれぞれの平均レベルを算出するようにしても良い。
【００３８】
従来のエキサイタは、直交変調処理を含めてアナログ処理部の増幅器からの出力レベルをフィードバックし、エキサイタ終段のアナログ回路で基準値になるようアッテネータでレベル調整を行っている。これに対し、本実施例では、アッテネータを用いることなく放送用のＴＳ信号のデジタルベースバンドをデジタル的に演算した利得調整でフィードバック補正しているので、従来よりも小さい回路規模と低消費電力でＡＧＣを実現している。
【００３９】
以上述べた少なくともひとつの実施形態の放送用送信設備のエキサイタによれば、電力増幅器のモニタ用のフィードバック信号をデジタル変換して、エキサイタに入力しデジタル的な振幅調整をすることにより省電力、省スペースでかつ多種類の出力レベル設定が容易なＡＧＣ機能を備えたデジタル放送送信装置を提供することができる。
【００４０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。
【００４１】
これら実施形態やその変形は、発明の範囲や要旨に含まれると同様に、特許請求の範囲に記載された発明とその均等の範囲に含まれるものである。
【符号の説明】
【００４２】
１  変調処理部
２  Ｄ／Ａ
３  直交変調部
４  増幅部
５  ＤＥＴ（検波整流部）
６  Ａ／Ｄ
７  制御部
８  レベル調整部
８１  基準生成部
８２  比較器
８３  出力設定乗算器
８４  テーブル変換調整部（Ｔ）
８５  ＡＧＣ乗除器
α８３  利得計数
Ｖｒ  基準電圧
【図１】
0005643785.tif 000002
【図２】
0005643785.tif 000003
【図３】
0005643785.tif 000004
【図４】
0005643785.tif 000005
【図５】
0005643785.tif 000006
【図６】
0005643785.tif 000007
【図７】
0005643785.tif 000008
【図８】
0005643785.tif 000009
【図９】
0005643785.tif 000010